(57)【要約】      （修正有）【課題】肥料のタイプに依存せず、施肥の手間がかからず、施肥の持続時間が長い水差し施肥体を提供する。【解決手段】土壌に肥料を混合して成形されたものであって、少なくとも一つの貫通孔３を有し、所定の形状で乾燥させて成形された水差し施肥体１とする。好ましくは、肥料が混合される土壌より透水性の低い粘土で表面を覆う。【選択図】図１
0003223021.tif 000002
【実用新案登録請求の範囲】
【請求項１】
土壌に肥料を混合して成形された水差し施肥体であって、
少なくとも一つの貫通孔を有し、
所定の形状で乾燥させて成形されたことを特徴とする水差し施肥体。
【請求項２】
請求項１記載の水差し施肥体において、
前記水差し施肥体の表面が、前記土壌より透水性の低い粘土で覆われていることを特徴とする水差し施肥体。
【考案の詳細な説明】
【技術分野】
【０００１】  本考案は、プランターや鉢植え等を用いた家庭園芸における施肥に関し、特に、持続的な施肥が可能な水差し施肥体に関する。
【背景技術】
【０００２】  プランターや鉢植え等を用いた家庭園芸における施肥は、肥料を土壌中又は土壌上に散布することにより行われていた。しかしながら、一般的には、施肥した肥料の有効性の持続期間が植物の栽培・育成期間より短いために、このような施肥は適当な期間をあけて複数回行われていた。【０００３】  肥料の有効性の持続期間を長くして施肥の回数を低減するために、例えば特許文献１に記載のような施肥器具が用いられる場合がある。特許文献１に記載の施肥器具は、水溶性の固形肥料を収容可能な容器本体の上部に水流入孔を、下部に水流出孔をそれぞれ成形し、ピン形状の土壌固定片を突設したものである。このような施肥器具をプランターや鉢植え等の土壌に挿した後に灌水することで、施肥器具内に収容された肥料の一部が少しずつ溶解して流出することで施肥が行われることになる。
【先行技術文献】
【特許文献】
【０００４】
【特許文献１】特開平９−２８１３９号公報
【考案の概要】
【考案が解決しようとする課題】
【０００５】  特許文献１に記載の施肥器具を用いた施肥においては、固形の肥料に限定され、予め施肥器具内に固形肥料を収容する手間が生じる。さらに、施肥器具内に流入した水に固形肥抖が直接溶解することを利用しているので、溶解速度が比較的早く、短期間で固形肥料が溶解してしまうものと思料する。その結果、短期間に大量の施肥が行われ、施肥器具内に固形肥料を収容する回数が増えるものと思料する。【０００６】  そこで、本考案は、上記課題を鑑みて成されたものであり、肥料のタイプに依存せずに液体肥料又は固形肥料のいずれも可能で、施肥の手間がかからず、施肥の持続期間が長い水差し施肥体を提供することを目的とする。
【課題を解決するための手段】
【０００７】  本考案の水差し施肥体は、土壌に肥料を混合して成形されたものであって、少なくとも一つの貫通孔を有し、所定の形状で乾燥させて成形されたことを特徴とする。
好ましくは、肥料が混合される土壌より透水性の低い粘土で表面が覆われている。
【考案の効果】
【０００８】  本考案の水差し施肥体によれば、土壌に混合する肥料は、いずれのタイプでもよく、固形に限らず液肥や活力液でも良い。
また、本考案の水差し施肥体は貫通孔を有するので、灌水された水が貫通孔を介して水差し施肥体の中心部にも容易に浸透して中心部の肥料をも溶解できるので、水差し施肥体内部の混合された肥料が均一に溶解することになる。
また、本考案の水差し施肥体は土壌を乾燥させて成形されたものであるので、灌水により徐々にその形状が崩れて、最終的には元の土壌に還り、プラスチックごみ等の不要な環境破壊を生じる懸念もない。【０００９】  また、水差し施肥体の表面が透水性の低い粘土で覆われているので、灌水による水の内部への浸透が少なく且つ緩慢に（徐々に）進む。更に、土壌に混合された肥料が直接水に接することが無いので、肥料の溶解も土壌を経由して緩慢に（徐々に）進むことになる。その結果、土壌に混合された肥料が長持ちすることになり、施肥期間が長くなる。
また、本考案の水差し施肥体をプランターや鉢植え等に置いて灌水するだけで施肥が行われるので、肥料の散布を繰り返したり、肥料を容器に補充したりする等の手間が不要になる。
【図面の簡単な説明】
【００１０】
【図１】本考案の水差し施肥体に係る実施例１を示す斜視図
【図２】図１の水差し施肥体の縦断面図
【図３】図１の水差し施肥体の横断面図
【図４】本考案の水差し施肥体に係る実施例２を示す斜視図
【図５】本考案の水差し施肥体に係る実施例３を示す斜視図
【考案を実施するための形態】
【００１１】  本考案の水差し施肥体は、土壌に肥料を混合して成形されたものであって、少なくとも一つの貫通孔を有し、所定の形状で乾燥させて成形されたものである。好ましくは、肥料が混合される土壌（元土壌）より透水性の低い粘土で表面が覆われている。尚、表面を覆う粘土は、肥料が混合された状態の土壌よりも透水性が低いものでも良い。
【００１２】  ここで、土壌と肥料の混合とは、土壌に肥料を投入して攪拌により混ぜ合わせ、土壌中に肥料が分布した状態を意味するが、肥料の分布状態は均一であっても不均一や局在であっても良い。更に、土壌と肥料を混ぜ合わせた後に混練しても良い。この混練により、
・土壌と肥料の粒子を細かくしたり、
・粒子間に滞留する空気を追い出して粒子同士の接触を密にして水の浸透を遅くしたり、
・土壌中の肥料の分布を均一にしたり、
・灌水による水差し施肥体の形状崩壊を遅延させたりすることができる。
以下、土壌と肥料を混合したものを混合土壌とも表す。
【００１３】  土壌に混合する肥料は、いずれのタイプでも良く、固形肥料に限らず液体肥料や活力液でも良い。尚、液体肥料や活力液は、土壌に混合された後に土壌と共に乾燥されるので、乾燥後には液体肥料や活力液の成分が微粒子状態で土壌中に分布することになる。また、肥料の種類と重量は、栽培植物の種類に応じて決めればよい。更に、栽培植物の各成長段階に合わせて最適な肥料が溶解して施肥されるように、目的や種類の異なる肥料又はそれらの組み合わせを個別に土壌に混合したものを層状に積み重ねて所定の形状に成形しても良い。
【００１４】  表面を覆う粘土は、肥料が混合される前の土壌（元土壌）又は混合土壌よりも透水性の低い天然材であれば良く、肥料を混合する土壌よりも粒子の細かい粘土質の土壌や紙粘土、石粉粘上等が可能である。更に、藁や井草等の天然の繊維質素材を粘土に混練しても良い。本考案では、元土壌又は混合土壌より透水性の低いこれらの天然素材を纏めて粘土と表す。
【００１５】  このような粘土を、所定の形状に成形して乾燥させた混合土壌の表面に、所定の厚さに塗布又は盛り付けする。更に、粘土の塗布又は盛り付けの前後又は途中に木綿や絹等の天然素材で編んだ布片を貼り付けても良い。粘土に混練した繊維質素材や貼り付けた布片により、水差し施肥体の形状を長期間に亘って維持させることができ、灌水による水差し施肥体の形状崩壊を遅延させることができる。
【００１６】  貫通孔は、一つ以上あれば良く、水の通りを良くするために水差し施肥体を縦方向（重力方向）に貫通する孔が好ましいが、縦方向に限定されることはない。斜め方向や横方向でも良く、また、貫通せずに水差し施肥体内部に通じる穴であっても良い。更に、貫通孔の横断面形状は円、楕円、略多角形等のいずれでも良い。
【００１７】  次に、本考案の水差し施肥体の製造方法について説明する。
最初に、土壌に肥料を投入して攪拌により混合し、必要により混練した後に、貫通孔用の型棒を当該混合土壌に差し込んだ（又は含めた）状態で金型又は木型等で押し固める。これにより、予め貫通孔を確保できるとともに、内部に滞留する空気を押出し、粒子同士の接触を密にして密度を高めて所定の形状に成形できる。
そして、金型又は木型等から所定の型に成形された混合土壌を取り出して乾燥させ、乾燥後に型棒を抜き取ることで水差し施肥体に貫通孔を成形する。尚、成形された混合土壌から型棒を抜き取った後に当該混合土壌を乾燥させても良い。
【００１８】  そして、貫通孔が成形され乾燥された混合土壌の表面に粘土を塗布又は盛り付ける。例えば、成形された混合土壌を、必要に応じてその表面に前述の布片を貼り付けた状態で、液状にした粘土中に適当な時間埋没・浸漬させた後に取り出して乾燥させることで、当該混合土壌の表面に粘土を均一に塗布することができる。このような、必要に応じた布片の貼付け、液状粘土中への埋没・浸漬、及び乾燥の各処理を表面の粘土層が所定の厚さになるまで繰り返す。或いは、液状粘土中への埋没・浸漬の代わりに手作業で混合土壌の表面へ直接粘土を盛り付けても良い。
最後に、水差し施肥体の表面を覆う粘土の表面を所望の色又は模様で着色しても良い。
【００１９】  以上のように構成された水差し施肥体をプランターや鉢植え等に配置し、その上から灌水することで、灌水された水の一部が水差し施肥体の表面粘土層を介して内部の混合土壌に浸透していく。そして、浸透した水が混合土壌中の肥料を溶解し、肥料成分を含んだ状態で水差し施肥体から漏出することで栽培植物への施肥が行われる。つまり、本考案の水差し施肥体をプランターや鉢植え等に置いて灌水するだけで施肥が行われるので、肥料の散布を繰り返したり、肥料を容器に補充したりする等の手間が不要になる。
【００２０】  ここで、水差し施肥体の表面が透水性の低い粘土で覆われているので、灌水による水の内部への浸透が少量で且つ緩慢に行われ、更に、土壌に混合された肥料が直接水に接することが無いので、肥料の溶解も土壌を経由して緩慢に（徐々に）進むことになる。その結果、土壌に混合された肥料が長持ちし、施肥期間が長くなる。
また、本考案の水差し施肥体は貫通孔を有するので、灌水された水が貫通孔を介して水差し施肥体の中心部にも容易に浸透して中心部の肥料をも溶解できるので、水差し施肥体内部の混合された肥料が均一に溶解することになる。
【００２１】  さらに、本考案の水差し施肥体は土壌や粘土を乾燥させて成形したものなので、灌水により徐々にその形状が崩れて行き、最終的には元の土壌に還るが、プラスチック等の腐敗しない人工素材を用いていないので、不要な環境破壊を生じない。尚、この形状崩壊の途中であっても、土壌に混合された肥料が残存している限りはその肥料の溶解による施肥が継続する。
以下、図面を用いて本考案の水差し施肥体の実施例を説明する。
【実施例１】
【００２２】  図１に本考案の水差し施肥体の実施例１の外観図（斜視図）を示し、図２に縦断面図を図３に横断面図を示す。本実施例１の水差し施肥体１は、その外観形状（外形）を楕円体形状に成形したものであり、中心部には混合土壌２を縦軸方向に貫通して上下両端で開口する貫通孔３を有する。貫通孔３の径は、灌水された水が流れ込みやすいように、開口部の径が水差し施肥体内部の径よりも広く成形されている。但し、貫通孔３は同一の径としても良い。また、貫通孔３の横断面形状を楕円としているが円又は略多角形でもよい。【００２３】  混ぜ合わせる肥料の種類と重量は、栽培植物に応じて、例えば、以下の様にできる。
【表１】
0003223021.tif 000003
表面を覆う粘土４は、内部の土壌よりも粒子の細かい粘土質の土壌とし、その厚さは、０．３ｍｍ〜３ｍｍで良く、好ましくは０．５ｍｍ〜２ｍｍとする。更に、水差し施肥体１の形状維持能を向上させるために木綿の布片５を表面の粘土４の一部又は全面に貼り付けてある。そして、表面を薄いピンク色に着色して、栽培植物の緑色との調和と水差し施肥体への灌水を誘う効果を醸し出している。尚、水差し施肥体１の表面を覆う粘土４は、表面の前面に塗布又は盛り付けされているが、図１ではわかりやすくするため図の外側のみを強調して記載している。
乾燥後の水差し施肥体１の全体重量は、例えば３００ｇ〜２ｋｇとする。
【実施例２】
【００２４】  図４に本考案の水差し施肥体の実施例２の外観（斜視図）を示す。本実施例２の水差し施肥体１０は、人や動物の大便（排泄物）を模してその外観形状（外形）を成形したものである。そして、略円錐形の上面から底面に向けて上下方向に貫通する貫通孔１３を成形している。また、表面を薄い黄土色に着色して栄養豊富な養分の含有を醸し出したものである。他は前述の実施例１と同様なので詳細な説明は省略する。
【実施例３】
【００２５】  図５に本考案の水差し施肥体の実施例３の外観（斜視図）を示す。本実施例３の水差し施肥体２０は、卵を模してその外観形状（外形）を成形したものである。そして、左右の一方の端部から他方の端部に向けて横方向に貫通する貫通孔２３を成形して、表面を白色に着色したものである。他は前述の実施例１と同様なので詳細な説明は省略する。【００２６】  以上のように好ましい実施形態とその実施例を挙げて本考案の水差し施肥体を説明したが、本考案はその実施形態や実施例に限定されるものではなく、本考案の要旨の範囲内で種々に改変できる。
【符号の説明】
【００２７】      １、１０、２０    水差し施肥体
２、１２、２２    混合土壌
３、１３，２３    貫通穴
４，１４，２４    混合土壌の表面を覆う粘土
５                布片
【図１】
0003223021.tif 000004
【図２】
0003223021.tif 000005
【図３】
0003223021.tif 000006
【図４】
0003223021.tif 000007
【図５】
0003223021.tif 000008